(57)【要約】【課題】増幅回路において、大きな位相変化、振幅変化が起きたときに、これに即応できるようなベクトル調整器の自動制御が行える歪補償増幅装置を提供する。【解決手段】ベクトル調整器Ａ、Ｂは、増幅手段に入力される信号に対し、ＣＰＵ制御によって、信号のベクトル量を粗調整するオフセット用ベクトル調整器２２０および、信号のベクトル量を微調整する定常時に動作する制御用ベクトル調整器２１０を備え、信号のベクトル量が制御用ベクトル調整器の調整範囲を超えたときに、オフセット用ベクトル調整器を制御モードに換え、粗調整の制御を行い、調整範囲を超えたベクトル量を制御用ベクトル調整器の調整範囲内に収斂させ、収斂後、オフセット用ベクトル調整器の制御値に固定し、次いで、制御用ベクトル調整器による制御モードに戻すＣＰＵ制御とする構成である。【選択図】図１
2009218886.tif 000002
【特許請求の範囲】
【請求項１】
フィードフォワード方式の回路によって、主増幅器の出力信号に含まれる歪成分を低減させる歪補償増幅装置であって、
前記主増幅器と誤差増幅器それぞれの増幅手段の入力側に、信号の位相および振幅で表されるベクトル量を調整するベクトル調整器を有し、
前記ベクトル調整器は、
前記増幅手段に入力される信号に対し、ＣＰＵ制御によって、該信号のベクトル量を粗調整するオフセット用ベクトル調整器および、該信号のベクトル量を微調整する制御用ベクトル調整器を備え、
前記信号のベクトル量が前記制御用ベクトル調整器の調整範囲を超える異常状態になったときに、前記制御用ベクトル調整器の調整位置を調整範囲の中心に固定し、次いで、前記オフセット用ベクトル調整器を制御モードに換え、前記粗調整の制御を行い、前記調整範囲を超えたベクトル量を前記制御用ベクトル調整器の調整範囲内に収斂させ、該収斂後、前記オフセット用ベクトル調整器の制御値に固定し、次いで、前記制御用ベクトル調整器による制御モードに戻す前記ＣＰＵ制御とする、
構成とした歪補償増幅装置。
【発明の詳細な説明】
【技術分野】
【０００１】
本発明は、増幅信号における非直線歪を低減させる技術に関し、特にフィードフォワード歪補償回路に供して好適な歪補償増幅装置に関する。
【背景技術】
【０００２】
例えば、携帯電話システムには、中継基地局（以下、基地局）があり、この基地局に用いられる信号の増幅装置は、小型、低消費電力、高信頼性および高性能が求められ、電力増幅の過程で発生する非直線歪（以下、歪成分）を除去する回路として、歪補償方式を備えている。
【０００３】
歪補償方式には、フィードフォワード歪補償あるいは、プリディストーション歪補償の回路方式などが用いられている。
【０００４】
歪補償に優れたフィードフォワード歪補償方式であっても、その回路は、高精度な歪補償を実現するために、増幅の過程で発生する歪成分を正確に抽出し、これに対して位相および振幅の高精度な制御を行う技術が求められ、かつ、長期間の安定動作の確保が課題であった。
【０００５】
図５に、歪補償増幅装置に備わる従来技術のベクトル調整器のブロック図を示し、これについて要点の説明をする。信号の位相と振幅は、ベクトル表現できる。
【０００６】
制御用ベクトル調整器２１０は、ＣＰＵ２００の制御下にあり、歪補償が最適になるように常時、位相器Ａによって位相を、減衰器Ａによって振幅を自動制御する。
【０００７】
一方、オフセット用ベクトル調整器２３０は、制御用ベクトル調整器２１０の初期位相および初期振幅を制御範囲の中心とするように、位相器Ｃによって位相を、減衰器Ｃによって振幅をオフセット調整しておくための回路である。通常は、工場の装置生産段階での調整操作（マニュアル設定）であり、出荷から稼働後は固定値となる。
【０００８】
例えば、歪補償増幅装置の回路定数などに経年変化を来した場合、制御用ベクトル調整器２１０の制御範囲を逸脱するような、大きな位相変化、振幅変化が起きると歪補償が精度よく行われなくなる。（歪補償の劣化）
【０００９】
そのような状況下では、オフセット用ベクトル調整器２３０を操作して、制御用ベクトル調整器２１０の制御範囲の中心にするマニュアル再設定が必要となる。
【００１０】
図６に、従来技術の制御用ベクトル調整およびオフセット用ベクトル調整の信号ベクトル図を示し、位相制御を例に説明する。
【００１１】
図６（イ）において、ベクトルｎは、増幅信号の歪成分であり、他方、ベクトルｅは、誤差信号とする。ベクトルｅは、増幅信号の歪成分から得られ、この歪成分、即ち、ベクトルｎに対して逆位相のベクトルである。この誤差信号のベクトルｅが制御用ベクトル調整器の可変範囲であれば、誤差信号の位相が変化しても、常に、歪成分であるベクトルｎの逆位相関係に保たれ、ベクトルｅとベクトルｎのベクトル合成によって歪成分がキャンセルされる。
【００１２】
図６（ロ）、（ハ）は、前記回路定数の経年変化などの原因で、前記ベクトルｅとベクトルｎの逆位相のバランスが崩れ、ベクトルｅが制御用ベクトル調整器の可変範囲から逸脱したとする（ベクトルｅ’）。このとき、ベクトルｅ’に対して、手動のオフセット用ベクトル調整器でベクトルｎの逆位相となるように再設定する（ベクトルｅ”）。
【００１３】
そこで、図６（ニ）に示すように、ベクトルｅ”が制御用ベクトル調整器の可変範囲内とされたので、その制御によりベクトルｎの逆位相に戻され、以降は、制御用ベクトル調整器の制御動作となる（ベクトルｅ）。
【００１４】
ところが、増幅装置の位相および振幅（増幅量）は、環境温度の変化、回路基板の吸湿、回路定数の経年変化等の変化が随時、起きているので、場合によれば、制御用ベクトル調整器の可変範囲から逸脱するような変化量が発生する。これでは、増幅装置の自動歪制御が機能しなくなり、特性が満足できなくなる機器の状態となる。
【００１５】
本発明の先行技術として、フィードフォワード回路において、歪検出ループ（Ｄループ）および歪除去ループ（Ｃループ）の各ベクトル調整回路の減衰量、位相量を最適値に設定する制御回路を備え、これにより制御動作の時間を短縮させる提案がある。（例えば、特許文献１  参照）
【特許文献１】特開平６−３５０３４７号公報（図１）
【発明の開示】
【発明が解決しようとする課題】
【００１６】
図５で示される従来技術では、歪補償増幅装置の制御用ベクトル調整器の制御範囲を逸脱するような位相変化、振幅変化が起きたときに、速やかに高精度の歪補償制御状態に復帰することができず、装置の稼働信頼性を低下させてしまう問題がある。
【００１７】
本発明の目的は、上記従来技術の問題点を解決し、増幅回路において、大きな位相変化、振幅変化が起きたときに、これに即応できるようなベクトル調整器の自動制御が行える歪補償増幅装置を提供することにある。
【課題を解決するための手段】
【００１８】
この目的を達成するために、本発明の歪補償増幅装置は、フィードフォワード方式の回路によって、主増幅器の出力信号に含まれる歪成分を低減させる歪補償増幅装置であって、前記主増幅器と誤差増幅器それぞれの増幅手段の入力側に、信号の位相および振幅で表されるベクトル量を調整するベクトル調整器を有し、前記ベクトル調整器は、前記増幅手段に入力される信号に対し、ＣＰＵ制御によって、該信号のベクトル量を粗調整するオフセット用ベクトル調整器および、該信号のベクトル量を微調整する制御用ベクトル調整器を備え、前記信号のベクトル量が前記制御用ベクトル調整器の調整範囲を超える異常状態になったときに、前記制御用ベクトル調整器の調整位置を調整範囲の中心に固定し、次いで、前記オフセット用ベクトル調整器を制御モードに換え、前記粗調整の制御を行い、前記調整範囲を超えたベクトル量を前記制御用ベクトル調整器の調整範囲内に収斂させ、該収斂後、前記オフセット用ベクトル調整器の制御値に固定し、次いで、前記制御用ベクトル調整器による制御モードに戻す前記ＣＰＵ制御とする構成である。
【発明の効果】
【００１９】
本発明によれば、低温環境での当該装置の電源投入時など装置内温度の低下あるいは、温度変化に伴う回路基板の吸湿に伴い、増幅器の増幅率の一時的な変動の発生、更に、高増幅素子の回路定数（増幅率など）の経年変化等、これらの変化が起きて、当該増幅装置の増幅信号に大きな位相、振幅の変動が生じても、高速、高精度のベクトル調整が自動で行えるようになり、速やかに高精度の歪補償制御状態に復帰することができるので、装置の稼働信頼性を向上させ、装置のメンテナンスコストを削減し、安定な通信サービス性に寄与する。
【発明を実施するための最良の形態】
【００２０】
図２に、本発明の実施形態である歪補償増幅装置のブロック図を示し、その構成の説明を行う。
【００２１】
１１は、入力信号ａを２分配して、それぞれ出力とするカプラＡである。
【００２２】
１２は、カプラＡ（１１）の一方から出力される信号を入力とし、この入力信号に対して、位相調整および振幅調整を行うベクトル調整器Ａである。
【００２３】
１３は、ベクトル調整器Ａ（１２）から出力される信号を入力し、所定の増幅率にて信号増幅し出力とする主増幅器である。
【００２４】
１４は、カプラＡ（１１）の他方から出力される信号を入力とし、この入力信号に対して、所定の遅延量を与える遅延線である。
【００２５】
１５は、主増幅器１３から出力される増幅信号ｂを入力とし、この増幅信号を一方の出力ｂ’とし、主増幅器の出力にカップル（結合）し、抽出された主増幅器の増幅信号と、遅延線１４で遅延された信号ｃを入力とし、その遅延信号を逆位相にした信号とのベクトル合成によって誤差信号を得て、これを他方の出力ｄとするカプラＢである。
【００２６】
２１は、カプラＢ（１５）を経由した主増幅器１３の増幅信号ｂ’に対して、所定の遅延量を与える遅延ユニットである。
【００２７】
２２は、カプラＢ（１５）から出力される前記他方の出力（歪成分）ｄを入力とし、この入力された歪成分の信号に対し、位相調整および振幅調整を行うベクトル調整器Ｂである。
【００２８】
２３は、ベクトル調整器Ｂ（２２）の出力である歪成分の信号を入力して、任意の増幅率にて増幅し誤差信号を得る誤差増幅器である。
【００２９】
２４は、遅延ユニット２１の増幅信号ｆを一方の入力とし、誤差増幅器２３の出力である誤差信号ｅを他方の入力とし、その誤差信号を逆位相にした信号とのベクトル合成によって、増幅信号の歪成分が取り除かれた増幅信号を得て、これを出力信号ｈとするカプラＣである。
【００３０】
なお、１は、カプラＡ（１１）、ベクトル調整器Ａ（１２）、主増幅器１３，遅延線１４およびカプラＢ（１５）を備えた第１ループ回路である。
【００３１】
２は、遅延ユニット２１、ベクトル調整器Ｂ（２２）、誤差増幅器２３，およびカプラＣ（２４）を備えた第２ループ回路である。そして、第１ループ回路１および第２ループ回路２によって、歪補償増幅装置が構成されている。
【００３２】
つまり、この歪補償増幅装置は、主増幅器１３と誤差増幅器２３それぞれの増幅手段の入力側に、信号の位相および振幅で表されるベクトル量を調整するベクトル調整器Ａ（１２）、Ｂ（２２）を有し、フィードフォワード方式の回路によって、主増幅器１３の出力信号（主信号）に含まれる歪成分を低減させる構成を有している。
【００３３】
次に、図２のブロック図における信号の流れについて説明する。
【００３４】
波形ａで示される入力信号は、カプラＡ（１１）に入力され、２分配され、一方の分配信号はルートＡの回路に供給され、他方の分配信号はルートＢの回路に供給される。
【００３５】
ルートＡの回路では、入力信号がベクトル調整器Ａ（１２）で位相と振幅が調整された後、規定の出力電力の増幅信号が得られるように増幅される。
【００３６】
主増幅器１３で増幅された信号（主信号）は、波形ｂで示されるように、所望の信号成分ｓのほかに、高増幅動作に伴う非直線動作の過程でＩＭＤ（ｉｎｔｅｒ−ｍｏｄｕｒａｔｉｏｎ；相互変調）による歪成分ｎ（非直線歪）が両サイドに発生する。
【００３７】
ルートＢの回路では、ルートＡの回路での遅延量に相当分の遅延が入力信号の分配信号に対して与えられ、波形ｃ（遅延入力信号）で示す信号となる。
【００３８】
ルートＡ回路にて、入力信号に対して、位相と振幅の調整（ベクトル調整）が行われ、カプラＢにて、波形ｂの振幅信号と逆位相にされた波形ｃとのベクトル合成が行われる。波形ｂと逆相の波形ｃとのベクトル合成により、所望の信号成分ｓと遅延入力信号とはキャンセルされる。
【００３９】
前記ベクトル調整器Ａ（１２）の位相と振幅の調整により、ルートＤの回路の入力端には、前記歪成分ｎのみからなる波形ｄ（歪成分）が現れる。
【００４０】
ルートＤの回路では、抽出された歪成分である波形ｄに対して、増幅信号（主信号）の歪成分と同振幅、逆位相になるようなベクトル調整と増幅を行い、波形ｅ（誤差信号）を得る。
【００４１】
この調整を行うのが、ベクトル調整器Ｂ（２２）であり、抽出された歪成分を増幅するのが、誤差増幅器２３である。
【００４２】
ルートＣの回路では、ルートＤの回路での遅延量に相当分の遅延が、カプラＢを通過した増幅信号（主信号）に対して与えられ、波形ｆ（遅延主信号）で示す信号が得られる。
【００４３】
前記遅延主信号（波形ｆ）と前記誤差信号（波形ｅ）がカプラＣ（２４）にてベクトル合成され、波形ｇで示される合成信号が得られる。そこで、増幅された信号（主信号）に含まれる歪成分ｎと誤差信号とがキャンセルされて、主信号から歪成分ｎが除去され、所望の信号成分ｓのみが、高出力、低歪の出力信号（波形ｈ）となって出力される。
【００４４】
次に、図３に、本発明である歪補償増幅装置の第１，第２ループ回路の信号ベクトル図を示し、本実施形態によれば、ベクトル調整が正常に完遂することを、信号ベクトル（逆位相、同振幅）を例に上げて説明する。
【００４５】
図３（イ）は、第１ループ回路１における信号ベクトル関係図である。
【００４６】
ベクトルｂは、ＡＭＰ系（ここでは、主増幅器１３）で増幅された増幅信号（主信号；波形ｂ）の位相と振幅を示す。
【００４７】
ベクトルｃは、遅延線系（ここでは、遅延線１４）で遅延された遅延入力信号（波形ｃ）の位相と振幅を示す。このようにベクトルｂとベクトルｃは逆位相（１８０°）、同振幅にある。
【００４８】
図２の第１ループ回路１では、図３（イ）のベクトル関係図に示されるように、主信号の所望信号成分ｓと主信号の歪成分ｎを有する波形ｂの結合（カプル）された信号分のうち所望信号成分ｓの振幅が波形ｃの振幅に同一にされたベクトルｂと、同振幅逆位相ベクトルｃとが形成され、これらのベクトルｂ、ｃは、カプラＢ（１５）によってベクトル合成され、所望信号成分ｓがキャンセルされる。そして主信号の歪成分ｎのみが抽出される（波形ｄ）。
【００４９】
同様に、図３（ロ）は、第２ループ回路２におけるベクトル関係図である。
【００５０】
ベクトルｅは、ＡＭＰ系（ここでは、誤差増幅器２３）で増幅された誤差信号（波形ｅ）の位相と振幅を示す。
【００５１】
ベクトルｆは、遅延線系（ここでは、遅延ユニット２１）で遅延された遅延主信号（波形ｆ）の位相と振幅を示す。ベクトルｅとベクトルｆは逆位相（１８０°）、同振幅である。
【００５２】
図２の第２ループ回路２では、図３（ロ）のベクトル関係図に示されるように、主信号の所望信号成分ｓと主信号の歪成分ｎを有する波形ｆ（遅延主信号）のうち主信号の歪成分ｎの振幅に同一にされるように誤差増幅器２３で増幅された誤差信号である波形ｅのベクトルｅと、波形ｆのベクトルｆとが形成され、これらのベクトルｅ、ｆは、カプラＣ（２４）によって、同振幅逆位相のベクトル合成され、波形ｆに対して、主信号の歪成分ｎがキャンセルされる。そして、主信号の所望信号成分ｓのみが所望信号成分ｓとして抽出され、出力信号となる（波形ｈ）。
【００５３】
次に、図２のベクトル調整器Ａ（１２）、Ｂ（２２）の一実施例を、図１を参照して説明する。図１に該ベクトル調整器のブロック図を示し、その構成の説明を行う。
【００５４】
このブロック図は、ベクトル調整器Ａ（１２）およびベクトル調整器Ｂ（２２）に共通の回路である。
【００５５】
２００は、位相器Ａ，Ｂに対し位相調整の制御信号を出力し、減衰器Ａ，Ｂに対し振幅調整の制御信号を出力するＣＰＵ（Ｃｅｎｔｒａｌ  Ｐｒｏｃｅｓｓｉｎｇ  Ｕｎｉｔ）である。位相器Ａ，Ｂおよび減衰器Ａ，Ｂは、図示してはいないが、例えば波形ｄおよび波形ｈを監視して、その位相変化量、振幅変化量等の信号状況をＣＰＵ２００に入力する端子を有する。ＣＰＵ２００ではその監視データを基に、所望の演算処理を行って、前記各制御信号を得る。また、監視データを得るために、回路の途中にパイロット信号の挿入、および所望の回路の位置にセンサーの配置を行う。
【００５６】
２１１は、入力される信号の位相を調整するために、微小な位相ステップの自動制御が行える位相器Ａである。
【００５７】
２１２は、入力される信号の振幅を調整するために、微小な振幅低減ステップの自動制御を行う減衰器Ａである。
【００５８】
２１０は、位相器Ａ（２１１）と減衰器Ａ（２１２）とが直列に接続され、通常の制御モードで動作し、ＣＰＵ２００によるベクトルの微調整を行う制御用ベクトル調整器である。
【００５９】
２２１は、入力される信号の位相を調整するために、粗い位相ステップのオフセット制御を行う位相器Ｂである。
【００６０】
２２２は、入力される信号の振幅を調整するために、粗い振幅低減ステップのオフセット制御を行う減衰器Ｂである。
【００６１】
２２０は、位相器Ｂ（２２１）と減衰器Ｂ（２２２）とが直列に接続され、オフセットの制御モードで動作し、ＣＰＵ２００によるベクトルの粗調整を行うオフセット用ベクトル調整器である。
【００６２】
よって、本発明のベクトル調整器Ａ，Ｂは、増幅手段（主増幅器１３，誤差増幅器２３）のそれぞれに入力される信号に対し、ＣＰＵ制御によって、当該信号（主信号ｂ、誤差信号ｅ）のベクトル量を粗調整するオフセット用ベクトル調整器２２０および、当該信号のベクトル量を微調整する定常時に動作する制御用ベクトル調整器２１０を備えた構成である。
【００６３】
次に、図４に、本発明である歪補償増幅装置の第１ループ回路のベクトル調整器Ａ（１２）における動作モードを一実施例とした信号ベクトル推移図を示し、説明する。
【００６４】
この動作モードの実施例は、装置の立ち上げ時（初回電源投入時など）において、装置全体が低温になっていて、回路基板周辺が高湿度の環境となって、装置の定常状態に比較し、増幅信号に大きな位相変動が生じた場合の例であり、そのベクトル調整の動作を示している。
【００６５】
図４（イ）は、定常の動作モード（例えば、正常な動作時）のベクトルｂ（波形ｂ；主信号）および逆位相にあるベクトルｃ（波形ｃ；遅延入力信号）を表し、両ベクトルの関係は、同振幅、逆位相に制御されている状態を示している。
【００６６】
ここでは、ベクトルｂがベクトル調整器Ａ（１２）に有する、制御用ベクトル調整器２１０の位相器Ａ（２１１）が位相可変範囲（ハッチング扇形；一例として角度９０°）内のほぼ中心に、任意位相量の微小ステップ制御（微調整）の高精度な位相制御が行われ、逆位相を維持している。このとき、オフセット用ベクトル調整器２２０は、固定モードである。
【００６７】
そこで、装置に非動作の状態（例；現地据付け期間）があり、装置内の温度が低温にさらされ、そこから電源を立上げたときに、増幅器内部は、定常動作時の温度と大きな温度ギャップが生じている。増幅器の出力である波形（主信号）のベクトルｂは、図４（ロ）で示されるように、大きな位相変化が生じて、ベクトルｂ’となってしまうことがある。
【００６８】
この状態は、図４（イ）で示された制御用ベクトル調整器２１０の位相器Ａ（２１１）の位相可変範囲から外れるので、ここでのベクトル調整ができない。このとき、オフセット用ベクトル調整器２２０の位相器Ｂ（２２１）を固定モードから制御モードに切替えて、位相制御を行う。
【００６９】
その際、制御用ベクトル調整器２１０は、可変範囲の中心で、一時、制御固定のモードに入る。
【００７０】
オフセット用ベクトル調整器２２０の位相可変範囲は、ベクトルｂ’に対してハッチング扇形（一例として１２０°）内の任意位相量の粗いステップ制御（粗調整）が可能である。ここで、制御用ベクトル調整器２１０の位相可変範囲の中心付近まで、オフセット用ベクトル調整器２２０の制御モードによるベクトル調整を行う。即ち、図４（ハ）で示されるように、大きな位相変化に対し、粗いステップで速く、目標の付近まで位相を修正（粗調整）させ、ベクトルｂ”となる。オフセット用ベクトル調整器２２０を自動制御で動作させる。
【００７１】
次に、ベクトルｂ”は、制御用ベクトル調整器２１０の位相調整可能範囲（図イのハッチング範囲）内に制御され、定常動作モードによるベクトル微調整モードに移行する。即ち、ベクトルｃの逆位相となるベクトルｂになるように調整が行われる。最後に、オフセット用ベクトル調整器２２０は、固定モードに戻される。
【００７２】
他方の環境における動作モードの実施例として、装置が長期間の稼働により、高増幅素子の増幅率などの回路定数が経年変化を起し、増幅信号に大きな位相変動が生じることがある。この場合のベクトル調整例は次のようになる。
【００７３】
この場合も、前記の動作モード同様、オフセット用ベクトル調整器の固定モードから制御モードへの切替え（図４―ロ）、次に、同オフセット用ベクトル調整器の制御モードでの高速粗調整動作（図４−ハ）、次に、制御用ベクトル調整器での高精度な微調整制御動作（図４−ニ）、最後に、オフセット用ベクトル調整器の固定モードへの戻し、この一連の制御手順が行われる。
【００７４】
以上は、本発明である歪補償増幅装置の第１ループ回路のベクトル調整器Ａにおける動作モードを実施例とした信号ベクトル推移図を示し、説明したが、これとは独立して動作する第２ループ回路のベクトル調整器Ｂにおける動作モードも同様であるので、説明は省略する。
【００７５】
よって、本発明の歪補償増幅装置は、信号（主信号）のベクトル量（振幅、位相）が制御用ベクトル調整器２１０の調整範囲を超える異常状態になったときに、制御用ベクトル調整器２１０の調整位置を調整範囲の中心に固定し、次いで、オフセット用ベクトル調整器２２０を制御モードに換え、粗調整の制御を行い、調整範囲を超えたベクトル量を制御用ベクトル調整器２１０の調整範囲内に収斂させ、収斂後、オフセット用ベクトル調整器２２０の制御値に固定し、次いで、制御用ベクトル調整器２１０による制御モードに戻すＣＰＵ制御とする構成である。
【産業上の利用可能性】
【００７６】
本発明は、移動通信に用いられる無線通信システムに適用されて、一例として、携帯電話システムの基地局装置として利用することができる。
【図面の簡単な説明】
【００７７】
【図１】本発明である歪補償増幅装置のベクトル調整器のブロック図である。
【図２】本発明の歪補償増幅装置のブロック図である。
【図３】本発明である歪補償増幅装置のループ回路の信号ベクトル図である。
【図４】本発明である歪補償増幅装置の第１ループ回路を一例とした信号ベクトル推移図である。
【図５】従来技術である歪補償増幅装置のベクトル調整器のブロック図である。
【図６】従来技術の制御およびオフセット調整の信号ベクトル図である。
【符号の説明】
【００７８】
１１，１５，２４  カプラＡ、Ｂ、Ｃ
１２，２２  ベクトル調整器Ａ、Ｂ
１３  主増幅器
１４  遅延線
２１  遅延ユニット
２３  誤差増幅器
２００  ＣＰＵ
２１０  制御用ベクトル調整器
２１１、２２１、２３１  位相器Ａ、Ｂ、Ｃ
２１２、２２２、２３２  減衰器Ａ、Ｂ、Ｃ
２２０、２３０  オフセット用ベクトル調整器
ａ  入力信号
ｂ  主信号
ｃ  遅延入力信号
ｄ  歪成分
ｅ  誤差信号
ｆ  遅延主信号
ｇ  合成信号
ｈ  出力信号
ｓ  主信号の所望信号成分
ｎ  主信号の歪成分
【図１】
2009218886.tif 000003
【図２】
2009218886.tif 000004
【図３】
2009218886.tif 000005
【図４】
2009218886.tif 000006
【図５】
2009218886.tif 000007
【図６】
2009218886.tif 000008